(57)【要約】【課題】巻きおしぼり以外の形態のおしぼりを製造するおしぼり製造装置を提供することを目的とする。【解決手段】おしぼり製造装置１は、シート材３をおしぼり５に成形する成形手段７を備える。成形手段７では、予め含水させたシート材３を垂らした状態とし、このシート材３の一面側３Ａに、横方向から第１移動部材９を当てつつ移動させることによって、シート材３を折り畳むことを特徴とする。本発明のおしぼり製造装置１では、シート材３を予め含水させ、その上で、第１移動部材９により、シート材３を折り畳んでいる。シート材３に水が含まれると、シート材３の弾性力が弱まる。本実施例では、水を含ませてシート材３の弾性力を弱めた状態で、折り畳んでいるから、折り畳みやすい。【選択図】図２
2016083200.tif 000002
【特許請求の範囲】
【請求項１】
帯状のシート材からおしぼりを製造するおしぼり製造装置であって、
前記シート材をおしぼりに成形する成形手段を備え、
前記成形手段では、予め含水させた前記シート材を垂らした状態とし、
この前記シート材の一面側に、横方向から第１移動部材を当てつつ移動させることによって、前記シート材を折り畳むことを特徴とするおしぼり製造装置。
【請求項２】
更に、前記成形手段では、
前記第１移動部材と移動する向きが逆であり、かつ、前記第１移動部材と移動する高さが異なる前記第２移動部材を、前記シート材の他面側に、横方向から当てつつ移動させることを特徴とする請求項１に記載のおしぼり製造装置。
【発明の詳細な説明】
【技術分野】
【０００１】
本発明は、おしぼり製造装置に関し、更に詳しくは、折り畳まれたおしぼりを製造するおしぼり製造装置に関する。
【背景技術】
【０００２】
従来、この種のおしぼり製造装置として、シートロールから帯状のシート材を引き出して所定長さに切断し、散水して湿り気を付与して、更に、ロール状に巻き込んで巻きおしぼりを成形するものが知られている（例えば特許文献１参照）。
【先行技術文献】
【特許文献】
【０００３】
【特許文献１】特開２００９−９００４３号公報
【発明の概要】
【発明が解決しようとする課題】
【０００４】
ところで、おしぼりの使用用途は幅広いため、巻きおしぼり以外の形態のおしぼりも望まれていた。
本発明は、上記現状に鑑みてなされたものであり、折り畳まれたおしぼりを製造する製造装置を提供することを目的とする。
【課題を解決するための手段】
【０００５】
上記問題を解決するために、請求項１に記載の発明は、
帯状のシート材からおしぼりを製造するおしぼり製造装置であって、
前記シート材をおしぼりに成形する成形手段を備え、
前記成形手段では、予め含水させた前記シート材を垂らした状態とし、
この前記シート材の一面側に、横方向から第１移動部材を当てつつ移動させることによって、前記シート材を折り畳むことを特徴とするおしぼり製造装置である。
【０００６】
請求項２に記載の発明は、
更に、前記成形手段では、
前記第１移動部材と移動する向きが逆であり、かつ、前記第１移動部材と移動する高さが異なる前記第２移動部材を、前記シート材の他面側に、横方向から当てつつ移動させることを特徴とする請求項１に記載のおしぼり製造装置である。
【発明の効果】
【０００７】
本発明のおしぼり製造装置は、帯状のシート材からおしぼりを製造するものである。
おしぼり製造装置は、シート材をおしぼりに成形する成形手段を備える。成形手段では、予め含水させたシート材を垂らした状態とし、このシート材の一面側に、横方向から第１移動部材を当てつつ移動させることによって、シート材を折り畳む。
本発明のおしぼり製造装置では、シート材を予め含水させ、その上で、第１移動部材により、シート材を折り畳んでいる。シート材に水が含まれると、シート材の弾性力が弱まる。本発明では、水を含ませてシート材の弾性力を弱めた状態で、折り畳んでいるから、折り畳みやすい。
【０００８】
更に、成形手段では、第２移動部材を用いることができる。この第２移動部材は、第１移動部材と移動する向きが逆であり、かつ、第１移動部材とスライドする高さが異なるものである。この第２移動部材を、シート材の他面側に、横方向から当てつつ移動させることにより、おしぼりを容易にジグザグに折り畳むことができる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係るおしぼり製造装置の正面図である。
【図２】実施例１に係るおしぼり製造装置の内部構造の要部を説明するための説明図である。
【図３】実施例１に係るおしぼり製造装置のおしぼり製造工程を示す説明図である。
【図４】実施例１に係るおしぼり製造装置のおしぼり製造工程を示す説明図である。
【図５】実施例１に係るおしぼり製造装置のおしぼり製造工程を示す説明図である。
【図６】実施例１に係るおしぼり製造装置のおしぼり製造工程を示す説明図である。
【図７】実施例２に係るおしぼり製造装置のおしぼり製造工程を示す説明図である。
【図８】実施例３に係るおしぼり製造装置のおしぼり製造工程を示す説明図である。
【図９】実施例４に係るおしぼり製造装置のおしぼり製造工程を示す説明図である。
【図１０】実施例４に係るおしぼり製造装置のおしぼり製造工程を示す説明図である。
【図１１】実施例４に係るおしぼり製造装置のおしぼり製造工程を示す説明図である。
【図１２】実施例５に係るおしぼり製造装置のおしぼり製造工程を示す説明図である。
【図１３】他の実施形態に係るおしぼり製造装置を説明するための説明図である。
【発明を実施するための形態】
【００１０】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
（１）本実施形態のおしぼり製造装置の構成
本実施形態に係るおしぼり製造装置（１）は、帯状のシート材（３）からおしぼり（５）を製造する装置である。
おしぼり製造装置（１）は、シート材（３）をおしぼり（５）に成形する成形手段（７）を備える。成形手段（７）では、予め含水させたシート材（３）を垂らした状態とし、このシート材（３）の一面側（３Ａ）に、横方向から第１移動部材（９）を当てつつ移動させることによって、シート材（３）を折り畳むことを特徴とする。
本実施形態における水は、純粋な水の他、除菌水、殺菌水等も意味し、その成分として水を含んでいるものを広く意味する。
【００１２】
シート材（３）は、帯状である限り特に限定されず、目的に応じて適宜選択できる。シート材（３）としては、例えば、ロール状に巻回された状態でおしぼり製造装置（１）にセットされるものを用いることができる。また、ジグザグに折り曲げられた状態でおしぼり製造装置（１）にセットされるものも用いることができる。
シート材（３）の材質としては、例えば、不織布、織布、紙等を採用することができる。
【００１３】
シート材（３）は、成形手段（７）によって、おしぼり（５）に成形される前に所定長に切断されていてもよいし、成形後に所定長に切断されてもよい。
切断に用いられる切断手段（１５）は、帯状のシート材（３）を所定長さに切断する手段であれば、特に限定されない。例えば、切断刃を備えたカッターや、切断刃によりシート材（３）を挟み込んで切り込むもの等、目的に応じて適宜選択できる。また、切断手段（１５）の刃を構成する材質は特に制限はない。例えば、金属、プラスチックが挙げられる。
また、シート材（３）に予め、ミシン目等の切断予定線が入れられていてもよい。このように、切断予定線を入れておくと、所望の位置で切断しやすくなる。
【００１４】
本実施形態では、シート材（３）は、成形手段（７）で成形される前に、予め含水状態にされる。
シート材（３）を含水状態にするための手段は、特に限定されないが、通常、散水手段（１７）が用いられる。散水手段（１７）は、シート材（３）に散水して含水シート材（３）とする手段である。散水手段（１７）は、水を散水する散水部（１７Ａ）を通常、備えている。
散水部（１７Ａ）は、シート材（３）に水を散水するものであれば、特に限定されず、目的に応じて適宜選択できる。複数の散水孔を備えた散水部（１７Ａ）であってもよいし、一の散水孔を備えた散水部（１７Ａ）でもよい。散水部（１７Ａ）は、シート材（３）の全面に散水することが好ましいことから、シート材（３）の幅と略同一の散水範囲を有することが好ましい。
なお、水を散水する圧力を得るためには、ポンプを用いることができる。
【００１５】
また、シート材（３）を含水状態にするための水は、水道等から直接供給されてもよいし、タンクに貯水してもよい。
貯水する場合に用いられるタンクの形状は、特に限定されず、目的に応じて任意の形状を適宜選択できる。タンクの材質は特に制限はない。例えば、金属、プラスチックが挙げられる。タンクは、加熱される場合には金属製が好ましい。
【００１６】
成形手段（７）では、まず、予め含水させたシート材（３）を垂らした状態とする（図２、３参照）。この際にシート材（３）の上側は、保持部材により保持されることが好ましい。保持部材としては、特に限定されず、目的に応じて適宜選択できる。例えば、保持部材として、シート材（３）を挟むことで保持する部材や、シート材（３）を挟み込む一対のローラ（１９，１９）が挙げられる。
シート材（３）の下端部は、無保持の状態でもよいが、保持部材により保持されたり、シート材（３）の下側に位置する底壁部材に接触していたりすることが望ましい。シート材（３）の下端部が保持部材により保持されたり、底壁部材に接触していたりすることにより、成形中のシート材（３）の姿勢を保ちやすくなり、その結果、成形しやすいからである。
【００１７】
成形手段（７）では、垂らした状態のシート材（３）の一面側（３Ａ）に、横方向から第１移動部材（９）を当てる（図３参照）。そして、第１移動部材（９）を横方向に移動させる。これにより、シート材（３）を折り畳む（図４参照）。
第１移動部材（９）の形態は、特に限定されず、適宜選択できる。第１移動部材（９）の形態は、例えば、棒状や、板状であってもよい。また、第１移動部材（９）のうち、シート材（３）に最初に接触する側の端部の厚さは、端部以外の部分よりも薄いほうが好ましい。シート材（３）に折り目を形成しやすく、その折り目で折りやすいからである。
【００１８】
更に、成形手段（７）では、第１移動部材（９）と移動する向きが逆の第２移動部材（１１）を用いることも可能である。この第２移動部材（１１）は、第１移動部材（９）と移動する高さが異なっている。すなわち、第２移動部材（１１）の移動する軌跡と、第１移動部材（９）の移動する軌跡とは、異なった高さとなっている。
第２移動部材（１１）を用いることにより、おしぼり（５）をジグザグに折り畳むことができる。
第２移動部材（１１）の形態は、特に限定されず、適宜選択できる。第２移動部材（１１）の形態は、例えば、棒状や、板状であってもよい。また、第２移動部材（１１）のうち、シート材（３）に最初に接触する側の端部の厚さは、端部以外の部分よりも薄いほうが好ましい。シート材（３）に折り目を形成しやすく、その折り目で折りやすいからである。
また、第１移動部材（９）、第２移動部材（１１）の動作タイミングは、いずれかが先に動作を開始しても、略同一に動作を開始してもよい。また、動作の終了に関しても、いずれかが先に動作を終了しても、略同一に動作を終了してもよい。成形時間の短縮という観点からは、第１移動部材（９）、第２移動部材（１１）の動作タイミングは、略同一に動作を開始して、略同一に動作を終了することが好ましい。
【００１９】
更に、成形手段（７）では、第３移動部材、第４移動部材、第５移動部材…を用いることができる。この場合において、第ｎ移動部材と、第（ｎ＋１）移動部材は、移動する向きが逆とされている（但し、ｎは３以上の整数）。また、第（ｎ＋１）移動部材は、第ｎ移動部材と移動する高さが異なっている。すなわち、第（ｎ＋１）移動部材の移動する軌跡と、第ｎ移動部材の移動する軌跡とは、異なった高さとなっている。
移動部材を３以上設けることで、よりジグザグに折り畳まれたおしぼり（５）を製造することできる。
【００２０】
（２）本実施形態のおしぼり製造装置の効果
本実施形態に係るおしぼり製造装置（１）では、シート材（３）をおしぼり（５）に成形する成形手段（７）を備える。成形手段（７）では、予め含水させたシート材（３）を垂らした状態とし、このシート材（３）の一面側（３Ａ）に、横方向から第１移動部材（９）を当てつつ移動させることによって、シート材（３）を折り畳む。
本実施形態のおしぼり製造装置（１）では、シート材（３）を予め含水させ、その上で、第１移動部材（９）により、シート材（３）を折り畳んでいる。シート材（３）に水が含まれると、シート材（３）の弾性力が弱まる。本実施形態では、水を含ませてシート材（３）の弾性力を弱めた状態で、折り畳んでいるから、折り畳みやすい。
【００２１】
更に、成形手段（７）では、第２移動部材（１１）を用いることができる。この第２移動部材（１１）は、第１移動部材（９）と移動する向きが逆であり、かつ、第１移動部材（９）とスライドする高さが異なるものである。この第２移動部材（１１）を、シート材（３）の他面側（３Ｂ）に、横方向から当てつつ移動させることにより、容易にジグザグに折り畳むことができる。
【実施例】
【００２２】
以下、図面を参照して実施例により本発明をより具体的に説明する。
なお、図面において、おしぼり製造装置１の上側を「上方」、下側を「下方」として説明する。
＜実施例１＞
（１）おしぼり製造装置の構成
本実施例に係るおしぼり製造装置１は、図１〜図６に示されるように、帯状のシート材３から折り畳まれたおしぼり５を製造する装置である。おしぼり製造装置１は、成形手段７を備えている。また、本実施例に係るおしぼり製造装置１には、送りローラ１３と、切断手段１５と、散水手段１７と、一対のローラ１９，１９と、が備えられている。これらはおしぼり製造装置１のケース内に収納されている。
本実施例では、シート材３として、不織布を用いている。不織布の厚みは、目的に応じて適宜選択できる。このシート材３には、凹凸の表面加工がされている。また、シート材３は、長尺であり、幅方向の略中央の長手方向に延びる線で２つに折られて２重とされている。この２重とされた状態で、シート材３はロール状に巻かれている。
ロール状のシート材３は、おしぼり製造装置１のケース内に収納されている。
【００２３】
送りローラ１３は、ロール状の巻かれた状態のシート材３を引き出して送るものである。図２に示すように、送りローラ１３は、ケース内部の略中央の上部に配されている。送りローラ１３は図示しない駆動モータによって駆動される。引き出されたシート材３は、切断手段１５へと送られる。
【００２４】
切断手段１５は、帯状のシート材３を所定長さに切断して切断されたシート材３とするものである。この切断手段１５には、図２に示されるように、回転刃１５Ａと固定刃１５Ｂとが備えられている。回転刃１５Ａと固定刃１５Ｂとの間を帯状のシート材３が通過するようにされている。この切断手段１５では、図示しない駆動モータにより回転刃１５Ａが回転すると、帯状のシート材３が切断されるようになっている。また、回転刃１５Ａの回転のタイミングを変えることで、シート材３の長さを調整できるようにされている。
【００２５】
散水手段１７は、シート材３に散水して含水したシート材３とする手段である。図２に示すように、散水手段１７は、散水部１７Ａを備えている。
ケース内部には、図示しない給水タンクが、収納されている。この給水タンク内の水は、散水手段１７に配管を通じて供給されるようにされている。給水タンクと散水手段１７との間には、水を加熱するための加熱手段を設けてもよい。この加熱手段により、温水がシート材３に供給されて温かいおしぼり５を作製することができる。この場合における加熱手段は、特に限定されず、加熱タンク等の公知の加熱手段を幅広く用いることができる。
なお、配管の途中に、送液用のポンプが取り付けられている。
【００２６】
散水手段１７の散水部１７Ａは、２重に折られたシート材３の幅よりもやや広い幅を有し、幅方向に複数の散水孔が並んでいる。複数の散水孔から水が放出することにより、幅方向に略均一に水分を付与することができるようになっている。
一対のローラ１９，１９は、シート材３を挟み込んで保持するものである。一対のローラ１９，１９は、散水部１７Ａの下方に配されている。
【００２７】
成形手段７は、シート材３をおしぼり５に成形する手段である。成形手段７には、第１移動部材９と、第２移動部材１１とが備えられている。第１移動部材９は、平板状であり、横方向に移動可能とされている。第２移動部材１１も、平板状であり、横方向に移動可能とされている。
図３に示されるように、第１移動部材９と第２移動部材１１は、高さが異なるように配置されている。本実施例では、第１移動部材９の方が、第２移動部材１１よりも上方に配置されている。
また、おしぼり５を作製する際に、第１移動部材９と、第２移動部材１１とは動作する方向が逆になるようにされている（図３〜５参照）。すなわち、図３のように、側面視で略直線状のおしぼり５を折り畳む際には、第１移動部材９、及び第２移動部材１１は互いに近接する方向で動作するようにされている。また、図５のように、おしぼり５を折り畳んだ後には、第１移動部材９、及び第２移動部材１１は互いに離隔する方向で動作するようにされている。
なお、第１移動部材９、第２移動部材１１を駆動するためのアクチュエータは特に限定されず、公知のアクチュエータが幅広く用いられる。例えば、ソレノイド、モータ、シリンダ等が用いられる。
【００２８】
なお、本実施例に係るおしぼり製造装置１には、各駆動モータ等のアクチュエータの駆動制御等を司る制御部を備えている。この制御部は、ＣＰＵ（Central Processing Unit）と、メモリ（例えば、ＲＯＭ（Read Only Memory）、ＲＡＭ（Random Access Memory）等と、を備えている。また、制御部は、各スイッチからの操作信号が入力される入力回路と、駆動モータ等のアクチュエータを駆動するための駆動回路と、を備えている。
【００２９】
（２）おしぼり製造装置の作用
次に上記構成のおしぼり製造装置１の作用について説明する。
おしぼり製造装置１を用いておしぼり５を製造する際には、最初に、ロール状のシート材３をおしぼり製造装置１にセットする。
【００３０】
スイッチを押すと、シート材３は送りローラ１３によって送られて、切断手段１５まで運ばれる。そして、シート材３が予め定められた所定長さとなったら、回転刃１５Ａが回転してシート材３を切断する。
次に、ポンプを作動して、散水部１７Ａから、水が散水されて、含水したシート材３が作製される。
図３に示されるように、このシート材３の上端をローラ１９、１９で挟みつつ、シート材３を垂らす。
【００３１】
そして、図３〜４に示すように、垂らした状態のシート材３の一面側３Ａに、横方向から第１移動部材９を当てた状態で、第１移動部材９を横の一方向に移動させる。一方、シート材３の他面側３Ｂに、横方向から第２移動部材１１を当てた状態で、第２移動部材１１を横の他方向に移動させる。なお、このときの第１移動部材９の動作と、第２移動部材１１の動作は、略同タイミングで行われる。
次に、図５に示されるように、第１移動部材９及び第２移動部材１１をおしぼり５から抜く方向へ移動させる。なお、このときの第１移動部材９の動作と、第２移動部材１１の動作は、略同タイミングで行われる。
このようにして、図６のように折り畳まれたおしぼり５が作製される。
【００３２】
（３）実施例１の効果
本実施例に係るおしぼり製造装置１は、シート材３をおしぼり５に成形する成形手段７を備える。成形手段７では、散水手段１７により、予め含水させたシート材３を垂らした状態とし、このシート材３の一面側３Ａに、横方向から第１移動部材９を当てつつ移動させることによって、シート材３を折り畳む。
本実施例のおしぼり製造装置１では、シート材３を予め含水させ、その上で、第１移動部材９により、シート材３を折り畳んでいる。シート材３に水が含まれると、シート材の弾性力が弱まる。本実施例では、水を含ませてシート材３の弾性力を弱めた状態で、折り畳んでいるから、折り畳みやすい。
【００３３】
更に、本実施例のおしぼり製造装置１では、成形手段７では、第２移動部材１１を用いている。この第２移動部材１１は、第１移動部材９と移動する向きが逆であり、かつ、第１移動部材９とスライドする高さが異なるものである。この第２移動部材１１を、シート材３の他面側３Ｂに、横方向から当てつつ移動させることにより、おしぼり５を容易にジグザグに折り畳むことができる。
【００３４】
また、本実施例のおしぼり製造装置１では、第１移動部材９の動作と、第２移動部材１１の動作は、略同タイミングで行われるから、各々の部材をそれぞれ動かすよりも、短時間で動作が完了する。よって、短時間で、おしぼり５を量産できる。
【００３５】
＜実施例２＞
次に、実施例２に係るおしぼり製造装置１を、図７を参照しつつ説明する。なお、実施例２のおしぼり製造装置１において、上記実施例１のおしぼり製造装置１と略同じ構成部位には同符号を付けて、構造、作用及び効果の説明は省略する。実施例２のおしぼり製造装置１では、次の点が、実施例１のおしぼり製造装置１と相違している。すなわち、実施例２のおしぼり製造装置１では、予め含水させたシート材３の下部を保持部材２１により保持している。このようにすると、成形中のシート材３の姿勢を保ちやすくなり、その結果、成形しやすい。
【００３６】
＜実施例３＞
次に、実施例３に係るおしぼり製造装置１を、図８を参照しつつ説明する。なお、実施例３のおしぼり製造装置１において、上記実施例１のおしぼり製造装置１と略同じ構成部位には同符号を付けて、構造、作用及び効果の説明は省略する。実施例３のおしぼり製造装置１では、次の点が、実施例１のおしぼり製造装置１と相違している。すなわち、実施例３のおしぼり製造装置１では、予め含水させたシート材３の下部を底壁部材２３に接触させている。このようにすると、成形中のシート材３の姿勢を保ちやすくなり、その結果、成形しやすい。
【００３７】
＜実施例４＞
次に、実施例４に係るおしぼり製造装置１を、図９〜１１を参照しつつ説明する。なお、実施例４のおしぼり製造装置１において、上記実施例１のおしぼり製造装置１と略同じ構成部位には同符号を付けて、構造、作用及び効果の説明は省略する。実施例４のおしぼり製造装置１では、次の点が、実施例１のおしぼり製造装置１と相違している。すなわち、実施例４のおしぼり製造装置１では、第１移動部材９、第２移動部材１１に加えて、第３移動部材２５を備えている。
第３移動部材２５は、第２移動部材１１と移動する向きが逆である。また、この第３移動部材２５は、第２移動部材１１よりも下に配置されている。
実施例４では、図９の状態から、図１０の状態を経て、図１１のようにおしぼり５が成形される。
【００３８】
＜実施例５＞
次に、実施例５に係るおしぼり製造装置１を、図１２を参照しつつ説明する。なお、実施例５のおしぼり製造装置１において、上記実施例１のおしぼり製造装置１と略同じ構成部位には同符号を付けて、構造、作用及び効果の説明は省略する。実施例５のおしぼり製造装置１では、次の点が、実施例１のおしぼり製造装置１と相違している。すなわち、実施例５のおしぼり製造装置１では、第１移動部材９、第２移動部材１１のシート材３に当たる側の端部の厚さは、他の部分の厚さに比して薄くなっている。これにより、シート材３に折り目を付けやすく、折り畳まれた状態を保持しやすい。
【００３９】
尚、本発明においては、上記実施例に限られず、目的、用途に応じて本発明の範囲内で種々変更した実施例とすることができる。
上記実施例では、移動部材の数は、２つ又は３つの例を挙げて説明したが、移動部材の数は、１つであっても、４つ以上であってもよい。
【００４０】
また、上記実施例では、シート材３を切断した後に成形する場合を例示したが、これに限定されず、例えば、シート材３を成形後に切断するようにしてもよいし、成形の過程で切断するようにしてもよい。例えば、図１３に示すように、切断手段１５を、成形手段７と散水手段１７の間に配置する構成により、成形後のシート材３の切断や成形過程におけるシート材３の切断を実現できる。更に、切断手段１５を、成形手段７の下方（下流側）に配する構成においても、成形後のシート材３の切断や成形過程におけるシート材３の切断を実現できる。
【００４１】
また、上記実施例では、複数の移動部材９、１１、２５の動作が略同タイミングで行われる場合を例示したが、これに限定されず、異なるタイミングで動作するものであってもよい。
【００４２】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４３】
本発明は上記で詳述した実施形態に限定されず、本発明の請求項に示した範囲で様々な変形または変更が可能である。
【産業上の利用可能性】
【００４４】
医療の現場、介護の現場、外食産業、エステ・ネイルサロン等で使用されるおしぼりの製造に関する技術として広く利用される。
【符号の説明】
【００４５】
１；おしぼり製造装置
３；シート材
３Ａ；一面側
３Ｂ；他面側
５；おしぼり
７；成形手段
９；第１移動部材
１１；第２移動部材
１３；送りローラ
１５；切断手段 
１５Ａ；回転刃
１５Ｂ；固定刃
１７；散水手段
１７Ａ；散水部
１９；ローラ
２１；保持部材
２３；底壁部材
２５；第３移動部材
【図１】
2016083200.tif 000003
【図２】
2016083200.tif 000004
【図３】
2016083200.tif 000005
【図４】
2016083200.tif 000006
【図５】
2016083200.tif 000007
【図６】
2016083200.tif 000008
【図７】
2016083200.tif 000009
【図８】
2016083200.tif 000010
【図９】
2016083200.tif 000011
【図１０】
2016083200.tif 000012
【図１１】
2016083200.tif 000013
【図１２】
2016083200.tif 000014
【図１３】
2016083200.tif 000015